(57)【要約】【課題】光学機械振動ビーム加速度計を提供する。【解決手段】光学機械振動ビーム加速度計のためのシステム、デバイス、技術及び方法が開示される。一例では、システムは、プルーフマスを懸架する光学機械アクティブ（ＯＭＡ）アンカーによる光学共振にレーザを結合し、レーザの周波数をＯＭＡアンカーの光学共振にロックして、変調されたレーザがＯＭＡアクティブアンカーと結合され、変調されたレーザの少なくとも振幅又は位相を検出するために、ＯＭＡアンカーと結合された変調されたレーザを検出する光電流を復調し、変調されたレーザをＯＭＡアンカーに結合することにより誘起される、変調されたレーザの振幅又は位相に対する変化を介して、ＯＭＡアンカーの機械モードの瞬間的な共振周波数を動的に追跡するために、変調されたレーザの周波数をロックし、変調されたレーザの振幅又は位相に対する変化を介して、ＯＭＡアンカーの瞬間的な共振周波数に基づいて加速度を測定するように構成される。【選択図】図８
2017015700.tif 000002
【特許請求の範囲】
【請求項１】
１つ又は複数のレーザを、加速度計内でプルーフマスを懸架する１つ又は複数の光学機械アクティブ（ＯＭＡ）アンカーによる光学共振に結合し、
前記１つ又は複数のレーザの周波数を、前記１つ又は複数の光学機械アクティブアンカーの１つ又は複数の光学共振にロックして、変調されたレーザが前記１つ又は複数の光学機械アクティブアンカーと結合され、
前記変調されたレーザの振幅又は位相のうちの少なくとも一方を検出するために、前記１つ又は複数の光学機械アクティブアンカーと結合された前記変調されたレーザを検出するフォトダイオードによって生成される光電流を復調し、
前記変調されたレーザを前記１つ又は複数の光学機械アクティブアンカーの機械モードに結合することにより誘起される、前記変調されたレーザの振幅又は位相のうちの少なくとも一方に対する変化を介して、前記１つ又は複数の光学機械アクティブアンカーの１つ又は複数の機械モードの瞬間的な共振周波数を動的に追跡するために、前記変調されたレーザの周波数をロックし、
前記変調されたレーザの振幅又は位相のうちの少なくとも一方に対する変化を介して動的に追跡されるとき、前記１つ又は複数の光学機械アクティブアンカーの前記１つ又は複数の機械モードの前記瞬間的な共振周波数に少なくとも部分的に基づいて、前記加速度計の加速度を測定する
ように構成される、システム。
【請求項２】
前記１つ又は複数の光学機械アクティブアンカーは１つ又は複数の双音叉構造を含み、前記１つ又は複数の双音叉構造は、各々が、間にギャップを有する２つ以上のフォトニック結晶機械ビームを含み、前記システムは、
前記加速度計のスケールファクタを較正し、
プッシュレーザを用いて前記プルーフマスに反動力を印加し、前記スケールファクタを較正するように構成されることは、前記プッシュレーザに対する前記加速度計の応答を検出するように構成されることを含み、
前記加速度計のバイアスを較正し、
前記プルーフマスに結合される前記１つ又は複数の光学機械アクティブアンカーに強化レーザを結合し、前記バイアスを較正することは、前記強化レーザに対する前記加速度計の応答を検出することを含む
ようにさらに構成される、請求項１に記載のシステム。
【請求項３】
１つ又は複数のレーザを、加速度計内でプルーフマスを懸架する１つ又は複数の光学機械アクティブ（ＯＭＡ）アンカーによる光学共振に結合するステップと、
前記１つ又は複数のレーザの周波数を、前記１つ又は複数の光学機械アクティブアンカーの１つ又は複数の光学共振にロックするステップであって、変調されたレーザが前記１つ又は複数の光学機械アクティブアンカーと結合される、ステップと、
前記変調されたレーザの振幅又は位相のうちの少なくとも一方を検出するために、前記１つ又は複数の光学機械アクティブアンカーと結合された前記変調されたレーザを検出するフォトダイオードによって生成される光電流を復調するステップと、
前記変調されたレーザを前記１つ又は複数の光学機械アクティブアンカーの機械モードに結合することにより誘起される、前記変調されたレーザの振幅又は位相のうちの少なくとも一方に対する変化を介して、前記１つ又は複数の光学機械アクティブアンカーの１つ又は複数の機械モードの瞬間的な共振周波数を動的に追跡するために、前記変調されたレーザの周波数をロックするステップと、
前記変調されたレーザの振幅又は位相のうちの少なくとも一方に対する変化を介して動的に追跡されるとき、前記１つ又は複数の光学機械アクティブアンカーの前記１つ又は複数の機械モードの前記瞬間的な共振周波数に少なくとも部分的に基づいて、前記加速度計の加速度を測定するステップと
を含む、方法。
【発明の詳細な説明】
【技術分野】
【０００１】
[0001]本出願は、２０１５年６月２９日に出願された「光学機械振動ビーム加速度計」と題する米国仮出願第６２／１８６，２３３号の利益を主張し、その全内容が参照により本願に組み込まれる。
【０００２】
[0002]本開示は加速度計に関する。
【背景技術】
【０００３】
[0003]慣性誘導システムは、共振ビーム加速度計（ＲＢＡ）などのナビゲーション級の加速度計を使用することができる。ＲＢＡは、プルーフマスアンカービームの振動モードの応力誘起周波数シフトを介して加速度を感知することができる。ビームは、双音叉（ＤＥＴＦ）トポロジーに配置することができる。
【発明の概要】
【発明が解決しようとする課題】
【０００４】
光学機械振動ビーム加速度計を提供する。
【課題を解決するための手段】
【０００５】
[0004]本明細書において提供される様々な例は、一般に、数万ｇなどの非常に広範囲の加速度の影響下にあるプラットフォーム上の高性能な慣性誘導システムのための光学機械振動ビーム加速度計のための技術、システム、デバイス、コンピュータプログラム製品及び方法に向けられる。本開示の光学機械振動ビーム加速度計はまた、非常に広範囲の加速度にわたって、低いサイズ、重量及びパワー（ＳＷＡＰ）で、プラットフォーム及び目的に関連する加速度を正確に検出するための非常に高い帯域幅、非常に高いダイナミックレンジ及び非常に高い感度を提供することができる。本開示の光学機械振動ビーム加速度計はまた、長距離の目的を含む正確なナビゲーションを保証するために、スケールファクタ及びバイアスについて定期的に又は連続的に再較正することができる。本開示の光学機械振動ビーム加速度計は、それによって、用途の中でもとりわけ、航空機に搭載された銃により発射される弾薬を含む、銃により発射される弾薬用の、連続的で正確なアクティブナビゲーションを初めて可能にし得る。
【０００６】
[0005]一例では、システムは、１つ又は複数のレーザを、加速度計内でプルーフマスを懸架する１つ又は複数の光学機械アクティブ（ＯＭＡ）アンカーによる光学共振に結合するように構成される。システムは、さらに、１つ又は複数のレーザの周波数を１つ又は複数の光学機械アクティブアンカーの１つ又は複数の光学共振にロックするように構成され、変調されたレーザは、１つ又は複数の光学機械アクティブアンカーと結合される。システムは、さらに、変調されたレーザの振幅又は位相のうちの少なくとも一方を検出するために、１つ又は複数の光学機械アクティブアンカーと結合された変調されたレーザを検出するフォトダイオードによって生成される光電流を復調するように構成される。システムは、さらに、変調されたレーザを１つ又は複数の光学機械アクティブアンカーの機械モードに結合することにより誘起される、変調されたレーザの振幅又は位相のうちの少なくとも一方に対する変化を介して、１つ又は複数の光学機械アクティブアンカーの１つ又は複数の機械モードの瞬間的な共振周波数を動的に追跡するために、変調されたレーザの周波数をロックするように構成される。システムはさらに、変調されたレーザの振幅又は位相のうちの少なくとも一方に対する変化を介して動的に追跡されるとき、１つ又は複数の光学機械アクティブアンカーの１つ又は複数の機械モードの瞬間的な共振周波数に少なくとも部分的に基づいて、加速度計の加速度を測定するように構成される。
【０００７】
[0006]別の例では、方法は、１つ又は複数のレーザを、加速度計内でプルーフマスを懸架する１つ又は複数の光学機械アクティブ（ＯＭＡ）アンカーによる光学共振に結合するステップを含む。当該方法は、さらに、１つ又は複数のレーザの周波数を１つ又は複数の光学機械アクティブアンカーの１つ又は複数の光学共振にロックするステップを含み、変調されたレーザは１つ又は複数の光学機械アクティブアンカーと結合される。方法はさらに、変調されたレーザの振幅又は位相のうちの少なくとも一方を検出するために、１つ又は複数の光学機械アクティブアンカーと結合された変調されたレーザを検出するフォトダイオードによって生成される光電流を復調するステップを含む。方法はさらに、変調されたレーザを１つ又は複数の光学機械アクティブアンカーの機械モードに結合することにより誘起される、変調されたレーザの振幅又は位相のうちの少なくとも一方に対する変化を介して、１つ又は複数の光学機械アクティブアンカーの１つ又は複数の機械モードの瞬間的な共振周波数を動的に追跡するために、変調されたレーザの周波数をロックするステップを含む。方法はさらに、変調されたレーザの振幅又は位相のうちの少なくとも一方に対する変化を介して動的に追跡されるとき、１つ又は複数の光学機械アクティブアンカーの１つ又は複数の機械モードの瞬間的な共振周波数に少なくとも部分的に基づいて、加速度計の加速度を測定するステップを含む。
【０００８】
[0007]別の例では、デバイスは、１つ又は複数のレーザを、加速度計内でプルーフマスを懸架する１つ又は複数の光学機械アクティブ（ＯＭＡ）アンカーによる光学共振に結合するための手段を含む。デバイスはさらに、１つ又は複数のレーザの周波数を１つ又は複数の光学機械アクティブアンカーの１つ又は複数の光学共振にロックするための手段を含み、変調されたレーザは１つ又は複数の光学機械アクティブアンカーと結合される。デバイスはさらに、変調されたレーザの振幅又は位相のうちの少なくとも一方を検出するために、１つ又は複数の光学機械アクティブアンカーと結合された変調されたレーザを検出するフォトダイオードによって生成される光電流を復調するための手段を含む。デバイスはさらに、変調されたレーザを１つ又は複数の光学機械アクティブアンカーの機械モードに結合することにより誘起される、変調されたレーザの振幅又は位相のうちの少なくとも一方に対する変化を介して、１つ又は複数の光学機械アクティブアンカーの１つ又は複数の機械モードの瞬間的な共振周波数を動的に追跡するために、変調されたレーザの周波数をロックするための手段を含む。デバイスはさらに、変調されたレーザの振幅又は位相のうちの少なくとも一方に対する変化を介して動的に追跡されるとき、１つ又は複数の光学機械アクティブアンカーの１つ又は複数の機械モードの瞬間的な共振周波数に少なくとも部分的に基づいて、加速度計の加速度を測定するための手段を含む。
【０００９】
[0008]１つ又は複数の例の詳細は添付の図面及び以下の説明に記載される。他の特徴、目的及び利点は、説明及び図面から、及び特許請求の範囲から明らかとなろう。
【図面の簡単な説明】
【００１０】
【図１】[0009]本開示の一態様における、フレームと、双音叉（ＤＥＴＦ）トポロジーの２つの光学機械アクティブアンカー（「ＯＭＡアンカー」）によってフレームから懸架されたプルーフマスとを備える、本開示の光学機械振動ビーム加速度計（「ＯＭＶＢ加速度計」）の概念図を示す。
【図２】[0010]本開示のいくつかの態様における、静止時及び加速時の光学機械振動ビーム加速度計の概念図を示す。
【図３】[0011]本開示のいくつかの態様における、光学機械加速度計を用いて行うことができる、例示的な誘導ラマン光学機械分光法（「ＳＲＯＭ分光法」）の方法のフローチャートを示す。
【図４】[0012]本開示のいくつかの態様における、光学機械加速度計のさらなる態様を示す。
【図５】[0013]本開示のさらなる態様における、光学機械加速度計の概念図を示す。
【図６】[0014]本開示の別の態様における、第３のレーザ及び第３の垂直ＯＭＡアンカーを含む光学機械加速度計の概念図を示す。
【図７】[0015]本開示の態様によって形成された例示的な光学機械加速度計システムのブロック図である。
【図８】本開示の態様による、加速度を測定するための例示的なシステムの概念図である。
【発明を実施するための形態】
【００１１】
[0016]いくつかの最先端のＭＥＭＳ加速度計は、低サイズ、重量及びパワー（ＳＷＡＰ）とすることができ、いくつかは低いバイアス及びスケールファクタのドリフトを有することができ、いくつかは高い入力加速度で読み出すことができ、いくつかはその小さなサイズにより、高帯域幅の可能性を有する。しかし、最先端のＭＥＭＳ加速度計は、その読み出し機構によって制限されたダイナミックレンジを有する。最先端のＭＥＭＳ加速度計は、加速度を感知するために、電気的読み出しを使用する。電気的読み出しの例は、加速度を電気的電圧に変換する、容量センサや圧電センサである。変換された信号を感知するための前置増幅電子回路の電気的ノイズは、信号対雑音比（ＳＮＲ）を制限し、変換された信号のダイナミックレンジ（ＤＮＲ）の低加速度端におけるＤＮＲを制限する。大きな曲げ非線形性に起因するバイアス制動（ｂｉａｓｅｓ  ｓｔｅｍｍｉｎｇ）が、ＤＮＲの高加速度端における変換された信号の精度を制限する。これに代えて、本開示のＯＭＶＢ加速度計は、容量又は圧電変換器読み出し方法に固有のＤＮＲの制限要因の影響を受けない、結合された光学機械（ｏｐｔｉｃａｌ−ｍｅｃｈａｎｉｃａｌ）読み出し方法を使用することができる。
【００１２】
[0017]容量性読み出しＭＥＭＳ加速度計は、絶縁表面上の電荷蓄積、及び加速度計パッケージの内部でのそれらの電荷のその後のランダムな移動による、スケールファクタ（ＳＦ）及びバイアスのドリフトの影響を受ける。容量性読み出しＭＥＭＳ加速度計はまた、駆動電極及び感知電極とそれらの接続トレースとの間の寄生容量結合によって制限される。容量性読み出しＭＥＭＳ加速度計はまた、容量性電極の表面がガス分子を吸着するとき、容量性電極上の変化する仕事関数による接触電圧効果によって制限される。容量性読み出しＭＥＭＳ加速度計はまた、テザー（ｔｅｔｈｅｒｓ）のばね軟化によって制限される。本開示の光学機械振動ビーム加速度計の結合された光学機械読み出し方法は、スケールファクタ及びバイアスのドリフトのこれらのソースの影響を受けない。
【００１３】
[0018]容量性読み出しＭＥＭＳ加速度計は、感度とサイズのトレードオフを有する。容量性読み出しＭＥＭＳ加速度計では、変換される電圧の大きさがキャパシタの面積によって上がり、このことは、固定のプリアンプ雑音のため、より大きな信号及びより良好な感度のためにより大きな構造を必要とする。したがって、高帯域幅及び高感度を維持しながら、同時に容量性読み出しＭＥＭＳ加速度計を高加速度範囲へと拡大することは困難となり得る。小さいサイズは、バイアス及びスケールファクタの長期の不安定性の源である温度勾配を最小にするのに有利である。このように、容量性読み出しＭＥＭＳ加速度計は、感度とバイアス及びスケールファクタのドリフトとの間の固有のトレードオフに直面している。本開示の光学機械振動ビーム加速度計の結合された光学機械読み出し方法は、容量性読み出し加速度計の感度とバイアス及びスケールファクタのドリフトとの間のこの固有のトレードオフを回避する。本開示の光学機械振動ビーム加速度計は、したがって、非常に軽いプルーフマス及び非常に硬いアンカーの使用を可能にして、高ＤＮＲ及び高感度での高加速度及び高帯域幅の動作を可能にする。
【００１４】
[0019]大きなプルーフマスの力平衡ＭＥＭＳ加速度計は、静電力を印加することでプルーフマス上の慣性力についてアクティブにバランスをとることにより、アンカービームの曲げを制限することによって、良好なスケールファクタ及びバイアス安定性を有する。しかし、この手法は、高加速度及び高帯域幅へと同時に拡張することができない。大きなプルーフマスに大きな力を印加するために必要な高電圧は、通常、システム内の小さなギャップの絶縁破壊電圧を超えることがあり、電気トレースの寄生抵抗は、高帯域幅の作動と相容れない電気的応答時間の制約を課す。本開示の光学機械振動ビーム加速度計は、いくつかの例では約５０，０００ｇなどの、数万ｇ（標準的な地表面重力加速度ｇの倍数）などの非常に高い加速度であっても、高感度、高帯域幅及び高いダイナミックレンジを提供することができる開ループ振動ビーム加速度計（ＶＢＡ）配置で動作することができる。
【００１５】
[0020]ＭＥＭＳ加速度計におけるバイアス及びスケールファクタは、時間の経過とともに、それらが使用される環境に応じて、変化し得る。現在は、デバイスが工場較正ステーションなどの制御された設定内に配置される場合に、これらの変化を測定することができるにすぎない。（ＧＰＳ、安定したプラットフォームからの無線送信などの）外部のハードウェアや外部の情報との通信なしに動作中のバイアス及びスケールファクタの変化を検出するための方法が研究されてきたが、そのような方法は非常に軽いプルーフマスを使用する必要があり、これは容量センシングと相容れず、先に指摘した引き換えのスペースの制約が生じる。本開示の光学機械振動ビーム加速度計は、以下でさらに説明するように、繰り返されるその場の（現場の、ｉｎ−ｓｉｔｕ）較正に、及び動作と同時の較正にさえ、完全に適合し得る。本開示の光学機械振動ビーム加速度計は、経時的に精度を維持するために、バイアス及びスケールファクタの現場再較正を周期的に又は連続的に行うことができる。
【００１６】
[0021]ＭＥＭＳ加速度計は、通常、振動の非線形性を有し得る。動作帯域幅が低いＭＥＭＳ加速度計において、プルーフマスモード共振は、通常、衝撃や音響摂動により容易に励起される周波数範囲にある。これらの振動は、それらが加速度計のサンプリング周波数よりも高いがプルーフマスモードの機械的帯域幅内の周波数で発生する場合に、振動調整（ｖｉｂｒａｔｉｏｎ  ｒｅｃｔｉｆｉｃａｔｉｏｎ）バイアスを引き起こし得る。さらに、最先端のＭＥＭＳ加速度計は、通常、共振周波数での振動の振幅を制限するため、プルーフマスモードを減衰させるために気体を使用する。しかし、上述したように、気体吸着はバイアス不安定性を引き起こし得る。本開示の光学機械振動ビーム加速度計は、音響型（ａｃｏｕｓｔｉｃａｌ  ｒｅｇｉｍｅ）を超える機械的共振で、真空パッケージ内で動作することができ、それにより、振動調整バイアス及び気体吸着効果を大幅に緩和することができる。
【００１７】
[0022]図１は、本開示の一態様における、フレーム１０２と、双音叉（ＤＥＴＦ）振動ビームトポロジーの、２つの光学機械アクティブアンカー１０６、１０８（「ＯＭＡアンカー１０６、１０８」）によってフレーム１０２から懸架されたプルーフマス１０４とを備える、本開示の光学機械振動ビーム加速度計（「ＯＭＶＢ加速度計」）１００の概念図を示す。このような光学機械アクティブアンカービームの一例は、１０６、１０８において示されるジッパーキャビティ（ｚｉｐｐｅｒ  ｃａｖｉｔｙ）フォトニック構造である。ＯＭＡアンカー１０６は、ギャップ１０７によって分離されたフォトニック結晶機械ビーム１０６Ａ、１０６Ｂのペアを含み、「ジッパー光学機械キャビティ」を構成し、これは、ビーム１０６Ａ、１０６Ｂ及びギャップ１０７と相互作用するレーザ場によって、機械的ビーム１０６Ａ、１０６Ｂ間の光学機械結合を可能にする。同様に、ＯＭＡアンカー１０８は、ギャップ１０９によって分離されたフォトニック結晶機械ビーム１０８Ａ、１０８Ｂのペアを含み、これは、ビーム１０８Ａ、１０８Ｂ及びギャップ１０９と相互作用するレーザ場による機械ビーム１０８Ａ、１０８Ｂ間の光学機械結合を可能にし、「ジッパー光学機械キャビティ」を構成する。第１のＯＭＡアンカー１０６と相互作用するレーザ場及び第２のＯＭＡアンカー１０８と相互作用するレーザ場は、同じレーザ光源から、又は異なるレーザ光源から導かれてもよい。加速度計１００は、図１に示されていない他のコンポーネントを含んでもよく、その例は以下にさらに説明される。加速度計１００は、類似した説明が様々な他の実施形態の詳細のうちの任意のものに適用できるとの理解のうえで、例示的な実施形態において以下でさらに説明される。
【００１８】
[0023]このようにして構成されて配置されたＯＭＡアンカー１０６、１０８は、レーザ場がＯＭＡアンカー１０６、１０８の機械的振動を駆動するような方法で、レーザ場と相互作用し、ＯＭＡアンカー１０６、１０８の機械的振動の存在を検出し、ＯＭＡアンカー１０８、１０８の機械的振動共振の周波数を決定することができる。以下でさらに説明するように、ＯＭＡアンカー１０６、１０８はさらに、ＯＭＡアンカー１０６、１０８の振動共振の周波数を、加速度によって変化するときに、駆動し、検出し、決定するレーザ場と相互作用することができる。それによって、ＯＭＡアンカー１０６、１０８は、１つ又は複数のレーザによる、プルーフマス１０４上の慣性力の光学的読み出しを可能にする。したがって、加速度計１００は、加速度計１００のＯＭＡアンカー１０６、１０８のフォトニック結晶機械ビーム１０６Ａ、１０６Ｂ、１０８Ａ、１０８Ｂの振動周波数の光学的読み出しを可能にする。
【００１９】
[0024]加速度計１００は、ＯＭＡアンカー１０６、１０８が慣性力に応答してプルーフマス１０４によって変形させられるときに、それらの機械共振周波数のシフトを測定することにより、加速度を感知することができる。加速度計１００の振動ビームトポロジーは、良好なバイアス安定性を有し、そのダイナミックレンジにわたって動作するのに力のリバランスを必要としない。したがって、加速度計１００は、非常に軽いプルーフマス１０４及びＯＭＡアンカー１０６、１０８による非常に硬いアンカーを使用して、高帯域幅と高いダイナミックレンジを有する高加速度下での正確な動作を可能にする。加速度計１００は光学読み出しを使用するので、容量性読み出し加速度計のスケールファクタ及びバイアスのドリフトのソースの影響を受けない。加速度計１００は、バイアス及びスケールファクタのその場較正を組み込むことができ、非常に高い周波数の機械モード及び真空パッケージ内での動作を可能にし、したがって、衝撃、音響摂動及び気体吸着の影響を緩和することができる。
【００２０】
[0025]加速度計１００は、内部光学モードと１つ又は複数の内部機械振動モードとの間の強力な結合を提供するＯＭＡアンカー１０６、１０８の固いアンカービーム間に懸架される軽いプルーフマス１０４を含む。ギャップ１０７により分離されたフォトニック結晶ビーム１０６Ａ、１０６Ｂ及びギャップ１０９により分離されたフォトニック結晶ビーム１０８Ａ、１０８Ｂからなるジッパー光学機械キャビティは、内部光学モードと１つ又は複数の内部機械振動モードとの間の結合をもたらすＯＭＡアンカー（光学機械アクティブアンカー）の例示的な実施形態である。他の例では、本開示の加速度計は、図１の例でのような、ギャップ１０７により分離されたフォトニック結晶ビーム１０６Ａ、１０６Ｂ及びギャップ１０９により分離されたフォトニック結晶ビーム１０８Ａ、１０８Ｂからなるレーザジッパー光学機械キャビティと類似するが必ずしも同一ではない、１つ又は複数の内部光学モードを１つ又は複数の内部機械振動モードと結合する、様々な他の種類の光学機械アクティブアンカー構造のうちの任意のものを含んでもよい。プルーフマス１０４はまた、いくつかの例では、ＯＭＡアンカー１０６、１０８を接続する軸に沿った敏感な方向のみにプルーフマス１０４の運動を限定するテザー１１１によって、フレーム１０２に取り付けられてもよい。
【００２１】
[0026]図２は、本開示のいくつかの態様における、静止時（１２０）及び下方向の加速度下（１２２）での振動ビーム加速度計１００の振動の概念図を示す。加速度計１００のＶＢＡトポロジーにより、プルーフマス１０４が慣性力の影響を受けるとき、ＯＭＡアンカー１０６、１０８のアンカービームの歪みは、ＯＭＡアンカー１０６、１０８の内部振動モードの機械共振周波数を変化させる。様々な実施形態では、ＯＭＡアンカー１０６、１０８の両方は、ゼロ加速であっても緊張している。加速度計１００が図１の向きで下方向に加速されるとき、プルーフマス１０４は、図２に示すように、加速度ａでフレーム１０２の基準フレームに関して反対の上方向に加速され、それによって、ＯＭＡアンカー１０６上の相対的な圧縮歪みを与え、その結果、ＯＭＡアンカー１０６は静止時の張力より小さい張力Ｔ１となり、ＯＭＡアンカー１０８上の相対的な引っ張り歪みを与え、その結果、ＯＭＡアンカー１０８は、静止時の張力よりも大きい張力Ｔ２となり（１２２において示す）、ＯＭＡアンカー１０６、１０８の各々の共振機械振動周波数の反対のシフトを引き起こす。したがって、加速度計１００は、バイアス及び雑音の特定のソースを相殺することができる加速度の測定値（尺度、ｍｅａｓｕｒｅ）として２つのシフトの示差測定（ｄｉｆｆｅｒｅｎｔｉａｌ  ｍｅａｓｕｒｅｍｅｎｔ）を行い、それによって、加速度の正確な測定を促進することができる。以下でさらに説明するように、加速度計１００において、ＯＭＡアンカー１０６、１０８の各々の共振周波数は、誘導ラマン光学機械分光法（「ＳＲＯＭ分光法」又は「ＳＲＯＭＳ」）と呼ぶことができる方法でレーザを用いて読み出される。
【００２２】
[0027]図３は、本開示の様々な態様において、加速度計１００を用いて行うことができる、例示的な誘導ラマン光学機械分光法（ＳＲＯＭ分光法）の方法２００のフローチャートを示す。ＳＲＯＭ分光法２００は、１つ又は複数のレーザを、加速度計内でプルーフマスを懸架する１つ又は複数の光学機械アクティブ（ＯＭＡ）アンカーによる光学共振へと結合すること（例えば、レーザを、図１に示すような加速度計１００内でフレーム１０２からプルーフマス１０４を懸架するＯＭＡアンカー１０６、１０８内の振動アンカービームによる光学共振へと結合すること）を含んでもよい（２０２）。ＳＲＯＭ分光法２００は、さらに、１つ又は複数のレーザの周波数を１つ又は複数のＯＭＡアンカーの１つ又は複数の光学共振（例えば、ＯＭＳアンカー１０６、１０８の光学共振）にロックし、変調されたレーザが１つ又は複数のＯＭＡアンカーと結合されるようにすることを含んでもよい（２０４）。ＳＲＯＭ分光法２００は、さらに、変調されたレーザの振幅又は位相のうちの少なくとも一方を検出するために、１つ又は複数のＯＭＡアンカーと結合された変調されたレーザを検出するフォトダイオードによって生成される光電流を復調することを含んでもよい（２０６）。ＳＲＯＭ分光法２００は、さらに、変調されたレーザを１つ又は複数のＯＭＡアンカーの機械モードに結合することにより誘起される、変調されたレーザの振幅又は位相のうちの少なくとも一方に対する変化を介して、１つ又は複数のＯＭＡアンカー上の１つ又は複数の応力を示す、１つ又は複数のＯＭＡアンカーの１つ又は複数の機械モードの瞬間的な共振周波数を動的に追跡するために、変調されたレーザの周波数をロックすることを含んでもよい（２０８）。ＳＲＯＭ分光法２００は、さらに、１つ又は複数の光学機械結合構造を通った１つ又は複数のレーザの搬送波成分と側波帯成分との間のビートノートを復調することにより、（例えば、ＯＭＡアンカー１０６、１０８の）変調されたレーザ光を使用して、変調されたレーザの振幅又は位相のうちの少なくとも一方に対する変化を介して動的に追跡されるとき、１つ又は複数のＯＭＡアンカーの１つ又は複数の機械モードの瞬間的な共振周波数に少なくとも部分的に基づいて、加速度計の加速度を測定することを含んでもよい（２１０）。ＳＲＯＭ分光法２００のこれらの態様及び他の態様は以下でさらに説明される。
【００２３】
[0028]最初に（２０２）、レーザ光は、エバネセントクロスカップリングのプロセスにより、テーパ光ファイバによって、又はフォトニック集積回路（ＰＩＣ）上の導波路によって、加速度計内でプルーフマスを懸架するＯＭＡアンカー１０６、１０８の光学共振へと結合されてもよい。レーザ光は、ＯＭＡアンカー１０６、１０８の光学モードに入り、ＯＭＡアンカー１０６、１０８の機械モード及び光学モードと相互作用し、最終的には後の分析のために光ファイバ又は導波路へ戻り、このため、ＯＭＡアンカー１０６、１０８、又は他の例では他の光学機械構造の特性の検出読み出しを提供する。
【００２４】
[0029]第２に（２０４）、レーザは、ＯＭＡアンカー１０６、１０８の光学共振に周波数ロックされてもよい。周波数のロックは、ダイオードレーザから得られてもよいレーザ電流に対してディザリング及びフィードバックを適用するなどのロックイン技術を用いて達成することができる。２つのＯＭＡアンカーの光共振周波数があまりに異なる場合、２つのレーザ光源が使用されてもよく、１つがＯＭＡアンカー１０６、１０８の各々の共振にロックされてもよい。例えば、チューニングの方法により又は高精度な構造により、ＯＭＡアンカー１０６、１０８の光学共振を正確に又は実質的に等しく行うことができる場合、単一の光源から出射されるレーザ場を、各々のパスがＯＭＡアンカーのうちの１つと相互作用する２つのパスへと分割することにより、又は連続して各々のＯＭＡアンカーを介してレーザを送ることにより、１つのレーザ光源をＯＭＡアンカー１０６、１０８の両方のために使用することができる。
【００２５】
[0030]第３に（２０６）、ＯＭＡアンカー１０６、１０８の機械共振の周波数は、リアルタイムで検出して追跡することができる。これは、ＯＭＡアンカー１０６、１０８の光学共振及び機械共振と相互作用したマルチトーンのレーザ場を監視することによって達成することができる。例えば、加速度計１００は、電圧制御発振器（ＶＣＯ）や直接デジタルシンセサイザ（ＤＤＳ）などの調節可能な信号源によって生成することができ、可変周波数ｆ＿ＦＭで動作させることができ、電気光学単側波帯変調器を介してレーザ場に印加することができる、ＯＭＡアンカー１０６、１０８の光学モードに結合されるレーザ場に側波帯成分を与えてもよい。変調されたレーザ場は、固有振動数ｆ＿ｖｉｂを有する、ＯＭＡアンカー１０６、１０８のビームの特定の機械モードを励起することができる。可変周波数ｆ＿ＦＭが固有振動数ｆ＿ｖｉｂに等しいか又はほぼ等しい場合（例えば、レーザの変調の周波数がＯＭＡアンカーの機械モードの振動周波数と共振する場合）、伝送されるレーザ場の振幅及び／又は位相は、誘導ラマン散乱を介して光子が搬送波と側波帯との間で交換されることにより、又はＯＭＡアンカーの機械モードによって媒介される、他の共振コヒーレント光散乱プロセスにより、大幅に変更され得る。ＯＭＡアンカー１０６、１０８は、機械モードによって媒介される誘導ラマン散乱が効率的に起こるように、強力な光学機械結合又は協同係数（ｃｏｏｐｅｒａｔｉｖｉｔｙ  ｆａｃｔｏｒ）を有している必要がある。この場合、光エネルギーは、ＯＭＡアンカー構造内の振動エネルギーと強く相互作用し、ＯＭＡアンカー１０６、１０８を出るレーザ光は、光学機械相互作用によって、振幅及び位相の両方で大幅に変更され得る。
【００２６】
[0031]第４に（２０８）、ＯＭＡアンカー１０６、１０８を出たレーザ光はそれぞれのフォトダイオードに入射してもよく、それによって、加速度計１００は、例えば無線周波数（ＲＦ）復調技術を使用することにより、フォトダイオードに入射するレーザ光の搬送波成分と側波帯成分との間の相互作用によって生成される電気ビートノートの振幅及び周波数を検出することができる。他の実施態様では、元のレーザ光源の一部が分離されて、光ヘテロダイン検出の標準的技法に従って、電気ビートノート信号の大きさを高めるために、それぞれのＯＭＡアンカー１０６、１０８と相互作用した一部と再合成されてもよい。いくつかの実施形態では、分離された光は、それ自体が、電気光学変調器により周波数シフトされてもよい。加速度計１００は、ロックイン技術により、ＯＭＡアンカー１０６、１０８の機械共振の周波数をアクティブに追跡することができ、側波帯変調周波数ｆ＿ＦＭは、低速変調により印加されて、電子的フィードバックループ（例えば、周波数ロックループ、又は「ＦＬＬ」）を用いることにより、可変周波数ｆ＿ＦＭで信号を生成するソースの周波数をそれぞれのＯＭＡアンカー１０６、１０８の機械共振周波数Ｆ＿ｖｉｂにロックするために、ゼロ交差誤差信号を生成する。
【００２７】
[0033]第５に（２１０）、したがって、ＦＬＬは、レーザ変調周波数をロックして、それぞれのＯＭＡアンカー１０６、１０８の機械共振周波数を追跡し、ＯＭＡアンカー１０６、１０８の機械振動モードの応力依存の周波数シフトを測定して追跡するために光学読み取りの使用を可能にし、プルーフマス１０４が経験する加速度の光学読み出しを提供する。加速度計１００の対称両面ＶＢＡ構成では、加速度計１００の差分サブシステムは、ＯＭＡアンカー１０８と相互作用するレーザを変調する無線周波数ｆ＿ＲＦからの、ＯＭＡアンカー１０６と相互作用するレーザを変調する無線周波数ｆ＿ＲＦの値の差を決定して、加速度の正確な測定値を提供することができる。ＯＭＡアンカー１０６、１０８の機械モードは、ゼロ入力加速度において、完全に同一の周波数であってもよいし、そうでなくてもよい。
【００２８】
[0033]加速度計１００及びＳＲＯＭ分光法２００を含む本明細書に記載のデバイス、システム及び方法の１つの例示的な利点において、いかなる位相雑音も搬送波と側波帯の両方にとって共通であるので、機械的な分光測定値の信号対雑音比（ＳＮＲ）はレーザ位相雑音による劣化の影響を受けない。さらに、いくつかの例では、本開示の加速度計は、位相ロックループ（ＰＬＬ）回路を介して共通のクロックからコヒーレントに合成されるＲＦ源を使用することができる。これらの例では、ＲＦ源の位相雑音を測定において相殺することができる。本開示の加速度計は、ＤＣではなくＲＦ周波数におけるすべての小信号処理を行うことができるので、本開示の例示的な加速度計は１／ｆ電気雑音を回避することができる。このように、測定値の基本的な雑音は、レーザの光子ショット雑音によって支配することができ、これにより、暗いレーザビームであっても非常に高いＳＮＲを得ることができる。このことは、ＶＢＡトポロジーで加速度を測定するために光学読み出しを使用することに対して大きく寄与し得る。
【００２９】
[0034]上述の例は、ジッパー光学機械キャビティに基づくＯＭＡアンカー１０６、１０８の使用に関して説明するが、様々な他の光学機械結合構造のうちの任意のものを他の実施形態で使用してもよい。上述のような、それぞれギャップ１０７、１０９によって分離されるフォトニック結晶ビーム１０６Ａ、１０６Ｂ、１０８Ａ及び１０８Ｂからなるジッパー光学機械キャビティは、非常に高い品質係数の機械及び光学共振（いずれの場合もＱが１×１０６を超える）、及び非常に高い協同係数（１に近づく）などの様々な利点を提供することができる。
【００３０】
[0035]図４は、いくつかの例における本開示の加速度計のさらなる態様を示し、ＯＭＡアンカー１０６、１０８の光学機械結合の図、ＯＭＡアンカー１０６のフォトニック結晶機械ビーム１０６Ａ、１０６Ｂの間のギャップにおける光学ジッパーのビーム間のレーザ光によってもたらされるばね力の理想化された図（４０２）、一緒に１つの共通の方向にある光学ジッパーにおけるビームの振動モードの斜視図（４０４）、及び反対の発振方向にある光学ジッパーにおけるビームの振動モードの斜視図（４０６）を含む。
【００３１】
[0036]図５は、本開示のさらなる態様における、上述の加速度計１００に類似するがさらに詳細に示された加速度計５００の概念図を示す。周波数変調器５２０（Ｆ１）は、第１のレーザ光源５１２及び第２のレーザ光源５６２を駆動し、これらはそれぞれ単側波帯変調器５１４及び５６４に流れ、それぞれ、レーザの各々に側波帯成分を追加する。レーザが単側波帯変調器５１４、５６４を通過した後、一方のビームがそれぞれフォトダイオード５１８、５６８に直接伝わる一方で、他方のレーザビームがそれぞれＯＭＡ１０６、１０８を通過してそれぞれのフォトダイオード５１９、５６９へ行くよう、各々のレーザは分離される。
【００３２】
[0037]差分器は、フォトダイオード５１８、５１９から、ＯＭＡアンカー１０６からの信号を受信し、５３６において右に示すように、直接搬送波周波数光応答Ｍ１を出力し、これは、周波数変調器５２０（Ｆ１）、及び第１のレーザ５１２にフィードバックされるフィードバック５２２（ＦＢ１）を導出するために使用される。差分器は、フォトダイオード５６８、５６９から、ＯＭＡアンカー１０８からの信号を受信し、５８６において右に示すように、直接搬送波周波数光応答Ｍ１を出力し、これは、周波数変調器５２０（Ｆ１）、及び第２のレーザ５６２にフィードバックされるフィードバック５７２（ＦＢ１）のために使用される。周波数変調器信号５２０及び５７０（Ｆ１）は、搬送波信号５３６及び５８６の逆導関数であり、伝送される搬送波成分の光を周波数変調を介して復調し、搬送波信号のピーク吸収を示す導関数の零点を検出するために信号をディザリングすることによって導くことができ、ＯＭＡアンカー１０６、１０８の各々の光共振周波数にロックするための手段としてゼロ導関数（ｚｅｒｏ  ｄｅｒｉｖａｔｉｖｅｓ）にロックする。
【００３３】
[0038]周波数変調器５２０は、ダイオードレーザへの駆動電流を変調することなどにより、レーザ５１２及び５６２の両方を変調することができる。復調されたフィードバック信号５２２及び５７２は、ＯＭＡアンカー１０６、１０８の光学ギャップ又はキャビティの光学共振にレーザ５１２及び５６２をロックするために、レーザ５１２及び５６２を個々に変調するよう、ＰＩＤサーボループ回路を介して供給することができる。
【００３４】
[0039]差分器はまた、それぞれ５４０、５９０で示される側波帯周波数変調信号５１６（「Ｆｖｉｂ＿ｔｏｐ」）、５６６（「Ｆｖｉｂ＿ｂｏｔｔｏｍ」）を導出するために使用される、振動ミキサ（ＭＶ）信号を生成することができる。全レーザパワーの吸収によって光学共振にロックされるＯＭＡアンカー１０６、１０８の光共振周波数とは対照的に、側波帯周波数変調器信号５１６、５１８は、ＯＭＡアンカー１０６、１０８の機械振動共振と一致するように調整することができる。Ｆｖｉｂ＿ｔｏｐ側波帯周波数５４０は第１のレーザ５１２の側波帯成分を駆動するために正弦波変調器で調整可能であってもよく、Ｆｖｉｂ＿ｂｏｔｔｏｍ側波帯周波数５９０は第２のレーザ５６２の側波帯成分を駆動するために正弦波変調器で調整可能であってもよい。
【００３５】
[0040]側波帯周波数変調器信号５１６（「Ｆｖｉｂ＿ｔｏｐ」）、５６６（「Ｆｖｉｂ＿ｂｏｔｔｏｍを」）を導出するために使用される振動ミキサ（ＭＶ）信号はまた、側波帯信号の逆導関数を提供し、したがって側波帯周波数カウンタに入力を提供するために、単側波帯変調器５１４、５６４を調整するためにフィードバックする第２のフィードバックＦＢ２を生成するように、側波帯ディザー信号（ｄｉｔｈｅｒｅｒ  ｓｉｇｎａｌ）（Ｆ２）を動作させるのに使用されてもよい。加速度計５００は、側波帯周波数カウンタの読み出し値の差をとり、側波帯周波数カウンタ間の差の割合として、加速度の最終的な結果を導出することができる。特定の例として、加速度計は、第１の側波帯周波数変調器信号５１６（Ｆｖｉｂ＿ｔｏｐ）から第２の側波帯周波数変調器信号５７６（「Ｆｖｉｂ＿ｂｏｔｔｏｍ」）を引いた差をスケールファクタ倍し、較正オフセットを引いたものとして、加速度を決定することができる。すなわち、
加速度＝（スケールファクタ）×（ｃｏｕｎｔ＿ｖｉｂ＿ｔｏｐ−ｃｏｕｎｔ＿ｖｉｂ＿ｂｏｔｔｏｍ）−（較正オフセット）
である。
【００３６】
[0041]図６は、本開示の別の態様における、上述の加速度計１００に類似するがさらなるレーザ及び第３の垂直なジッパー光学機械キャビティ６１０を含む、加速度計６００の概念図を示す。加速度計６００は、その場の（ｉｎ−ｓｉｔｕ）バイアス及びスケールファクタの較正を実行する機能を組み込む。加速度計６００は、上述のＯＭＡアンカー１０６、１０８のほか、フレーム１０２とプルーフマス１０４との間に形成される垂直の強化（ｓｔｉｆｆｅｎｉｎｇ）ジッパー光学機械キャビティ６１０、及びプルーフマス１０４の片側を押圧する構成の１つ又は複数のプッシャー（ｐｕｓｈｅｒ）レーザ６１２を含む。強化ジッパー光学機械キャビティ６１０のための「強化」レーザ６０９は、それ自身のレーザ光源６０２によって駆動することができ、これはまたプッシャーレーザ６１２を駆動することができ、平衡光検出法によりキャビティ６１０の光学共振の側にロックされる。プッシャーレーザ６１２は、フレーム１０２内の導管（ｃｏｎｄｕｉｔｓ）を介して導かれて、プルーフマス１０４に対する運動量（推進力、ｍｏｍｅｎｔｕｍ）を妨害したり与えたりすることができる。光学機械ジッパーキャビティ６１０及びプッシャーレーザ６１２のための強化レーザ６０９のレーザ光は、強化光学機械ジッパーキャビティ６１０及び／又はプッシャレーザ６１２のいずれか又は両方を介してレーザ光を伝送するように選択するために、可変シャッター又は他の手段を通過させてもよい。図６に示すように、加速度計６００は、フォトダイオード６１６及び６１８を介して、ジッパー光学機械キャビティ６１０から出た後の強化レーザ６０９をレーザ光源６０２からのコンパニオンレーザと比較して、強化レーザジッパーキャビティの光学吸収共振を決定し、レーザ光源６０２を駆動するためのフィードバック（ＦＢ）としてその共振を使用することができる。
【００３７】
[0042]１ミリワット（ＭＷ）のオーダーのレーザパワーが強化光学機械ジッパーキャビティへと向けられると、プルーフマスは、ＯＭＡアンカー及び敏感な方向においてプルーフマス１０４に復元力を供給する任意の他のアンカーの材料剛性と機械的に平行な光ばね効果に起因して、効果的なばね定数を感じ得る。光強化キャビティにより供給されるさらなるばね定数は、ＯＭＡアンカー又はプルーフマス１０４の位置を制約する他のアンカーによって供給される機械的な力に起因するばね定数に対して、追加されるか又は差し引かれるものとなり得る。追加の強化力の加法（ａｄｄｉｔｉｖｅ）特性又は減法（ｓｕｂｔｒａｃｔｉｖｅ）特性は、ＯＭＡアンカー１０６の共振の強化光学機械キャビティの光学共振と比較した強化レーザロック点の相対的な離調から生じて、全体のばね定数を低減し、ＯＭＡアンカー１０８の共振の強化光学機械キャビティの光学共振と比較した強化レーザロック点の相対的な離調から生じて、ばね定数を増加させる。この場合、（フレーム１０２が加速度を受けるときに）プルーフマス１０４を拘束するために必要な同じばね式の（ｓｐｒｉｎｇ−ｔｙｐｅ）復元力は、ここでは、２つのＯＭＡアンカー１０６、１０８によってだけでなく、励起された補助的な光学機械ジッパーキャビティ６１０の光強化力によっても、寄与される。したがって、加速度計１００の所与の加速度について、ＯＭＡアンカー１０６、１０８が感じた歪みは、光強化光学機械ジッパーキャビティが駆動レーザによって励起されない構成におけるよりも、同じ加速度について小さい場合も大きい場合もある。換言すれば、加速度を振動周波数シフトに関連付けるスケールファクタは、修正−増加又は減少のいずれか−され、これは、特定の種類のその場バイアス較正プロトコルの実現を可能にする。
【００３８】
[0043]レーザパワーは、感知方向に（例えば、面内加速度計については面内で）プルーフマスを押すためにレーザパワーを向ける構造であるレーザプッシャー６１２に印加される。レーザプッシャー６１２の構造は、フレーム上の集積導波路又は他の光導波構造から構成されてもよく、これらは、光パワーを反射するかそうでなければ反転させる、プルーフマス上の集積導波路もしくは他の光導波構造及び／又はプルーフマス上の導波路とともに、レーザパワーをプルーフマスへと向けさせて、プルーフマス１０４に対して反跳力又は反動力を与える。プルーフマス１０４に入射するプッシャーレーザ６１２の強度は集積振幅変調器によって変調することができ、それによって、プルーフマスに印加される反跳力又は反動力を変調することができる。変調された力の印加に対するプルーフマス１０４の機械的応答の振幅及び位相は、ロックイン方式で測定することができ、したがって、プルーフマスモードの共振周波数及び品質係数の測定を可能にすることができ、これは、特定の種類のその場スケールファクタ較正プロトコルの実現のための前提条件のステップである。
【００３９】
[0044]いくつかの例では、加速度計６００は、加速度計６００を組み込むプラットフォームの起動の前後を含め、定期的にスケールファクタ較正及び／又はバイアス較正プロトコルを実施することができる。他の例では、加速度計６００は、動作中に、連続的に又は準連続的に、スケールファクタ較正及び／又はバイアス較正プロトコルを実施することができる。
【００４０】
[0045]図７は、本開示の態様に従って形成された例示的な光学機械加速度計システム２０のブロック図である。光学機械加速度計システム２０は、上述のような加速度計１００、５００又は６００の実施形態と一致してもよい。光学機械加速度計システム２０は、光学機械加速度計２２及び制御部２４を含む。光学機械加速度計２２は、プルーフマスアセンブリ２６及びレーザ光源２８を含む。制御部２４は、感知モジュール３０及びスケールファクタ制御モジュール３２を含み、その両方はＭＥＭＳ加速度計２２と信号をやり取りする。制御部２４はまた、感知モジュール３０並びにスケールファクタ較正・バイアス較正制御モジュール３２と信号をやり取りするコントローラ３４を含む。図７の例では、感知モジュール３０、スケールファクタ較正・バイアス較正制御モジュール３２及びコントローラ３４は、説明を簡単にするために別個に示されているが、感知モジュール３０、スケールファクタ較正・バイアス較正制御モジュール３２及びコントローラ３４は、いくつかの実施形態では高度に集積化されてもよい。
【００４１】
[0046]図８は、周波数ロック変調されたレーザにより追跡されるときにＯＭＶＢ加速度計８０１のＯＭＡアンカー８０５、８０６の機械モードの共振に基づいて加速度を測定するための例示的なシステム８００の概念図である。ＯＭＡアンカー８０５、８０６は、ＯＭＶＢ加速度計８０１内でプルーフマス８０３を懸架する。レーザ光源８０２は、レーザを単側波帯（ＳＳＢ）変調器８０４へ出射し、当該変調器はレーザ光を位相変調する。変調されたレーザは、集積導波路又はテーパ光ファイバを介して、ＤＥＴＦトポロジーのＯＭＡアンカー８０６に結合される。他の例では、レーザはまた、ＯＭＡアンカー８０５、又はＯＭＡアンカー８０５、８０６の両方を介して伝送されてもよい。レーザの位相変調周波数がＯＭＡアンカー８０６の光学的に結合された振動モードの共振周波数と一致するとき、ＯＭＡアンカー８０６のＤＥＴＦ振動共振モード又は機械共振モードにおけるフォノンにより媒介される、レーザ光の光搬送波における光子の側波帯への誘導ラマン散乱に起因して、伝送される側波帯のパワーの強力な増大がフォトダイオード８０８で観察される。フォトダイオード８０８における光信号は、ＤＥＴＦ  ＯＭＡアンカー８０６の振動周波数に追従するように水晶発振器をアクティブにロックするＲＦ周波数ロックループ（ＦＬＬ）又は位相ロックループ（ＰＬＬ）８１０にとって適切な、ＲＦ側波帯におけるパワーの観点で可変周波数と振動周波数との間の差を示す、誤差信号又は差分信号８０９を生成するために使用される。各ＤＥＴＦにロックされた水晶発振器の周波数の差をとることにより、加速度情報を、レーザショット雑音の限界までのＳＮＲで抽出することができる。
【００４２】
[0047]制御部２４及び制御部２４の様々なコンポーネントは、制御部２４に起因する技術を実行するために、ハードウェア、ソフトウェア、ファームウェア又はそれらの任意の組み合わせのうちの任意の適切な構成として実施することができる。例えば、制御ユニット２４は、１つ又は複数のマイクロプロセッサ、デジタル信号プロセッサ（ＤＳＰ）、特定用途向け集積回路（ＡＳＩＣ）、フィールドプログラマブルゲートアレイ（ＦＰＧＡ）、又は他の同等の集積論理回路もしくは個別論理回路のいずれか、並びにそのようなコンポーネントの任意の組み合わせのうちの任意のものを含み得る。制御部２４は、さらに、メモリ及び他のコンポーネントを含むことができる。
【００４３】
[0048]１つ又は複数の例では、本明細書に記載の加速度計は、説明された機能を達成するために、ハードウェア、ソフトウェア、ファームウェア、又はそれらの任意の組み合わせを利用することができる。ソフトウェアで実装されるこれらの機能は、１つ又は複数の命令又はコードとして、コンピュータ読み取り可能な媒体上に格納されたりそれを介して送信されたりしてもよく、ハードウェアベースの処理ユニットによって実行されてもよい。コンピュータ読み取り可能な媒体は、例えば通信プロトコルに従って、ある場所から別の場所へのコンピュータプログラムの転送を容易にする任意の媒体を含む、データ記憶媒体又は通信媒体などの有形の媒体に対応する、コンピュータ読み取り可能な記憶媒体を含むことができる。このように、コンピュータ読み取り可能な媒体は、一般に、（１）非一時的である有形のコンピュータ読み取り可能な記憶媒体又は（２）信号や搬送波などの通信媒体に対応することができる。データ記憶媒体は、本開示に記載された技術を実施するための、命令、コード及び／又はデータ構造を取得するために１つもしくは複数のコンピュータ又は１つもしくは複数のプロセッサによってアクセスできる、任意の利用可能な媒体であってもよい。
【００４４】
[0049]命令は、加速度計内の１つ又は複数のプロセッサによって実行されてもよいし、加速度計に伝達されて結合されてもよい。１つ又は複数のプロセッサは、例えば、１つ又は複数のＤＳＰ、汎用マイクロプロセッサ、特定用途向け集積回路ＡＳＩＣ、ＦＰＧＡ、又は他の同等の集積論理回路や個別論理回路を含むことができる。したがって、本明細書で使用される「プロセッサ」という用語は、前述の構造のうちの任意のもの、又は本明細書で説明する技術の実施に適した任意の他の構造を指すことができる。さらに、いくつかの態様では、本明細書で説明する機能は、本明細書に記載された技術を実行するために構成された専用ハードウェア及び／又はソフトウェアモジュール内で提供されてもよい。また、当該技術は、１つ又は複数の回路又は論理素子において完全に実施されてもよい。
【００４５】
[0050]本開示の技術は、集積回路（ＩＣ）又はＩＣのセット（例えば、チップセット）を含む、多種多様なデバイスや装置において実施することができる。開示された技術を実行するように構成されたデバイスの機能的な態様を強調するために、様々なコンポーネント、モジュール又はユニットが本開示に記載されるが、これらは必ずしも異なるハードウェアユニットによる実現を必要としない。むしろ、様々なユニットは、組み合わせられてもよいし、適切なソフトウェア及び／又はファームウェアとともに、上述のような１つ又は複数のプロセッサを含む相互運用ハードウェアユニットの集合によって提供されてもよい。
【００４６】
[0051]本開示の様々な態様が説明された。これら及び他の態様は以下の特許請求の範囲内にある。
【図１】
2017015700.tif 000003
【図２】
2017015700.tif 000004
【図３】
2017015700.tif 000005
【図４】
2017015700.tif 000006
【図５】
2017015700.tif 000007
【図６】
2017015700.tif 000008
【図７】
2017015700.tif 000009
【図８】
2017015700.tif 000010
【外国語明細書】
2017015700000001.pdf